(57)【要約】【課題】  エレベータにおいて、メインロープから巻上機に与えられる荷重を巻上機のみで受けるようにすると巻上機の構造変更が必要となる。【解決手段】  昇降路２の頂部側方には機械室１が設けられている。この機械室内１に巻上機取付用やぐら３が設置されている。巻上機４は上下反転させた状態で底面が巻上機取付用やぐら３の支持ビーム３ａに取り付けられ、支持ビーム３ａに吊り下げ支持されている。【選択図】      図１
2005112615.tif 000002
【特許請求の範囲】
【請求項１】
昇降路の頂部側方に設けられた機械室と、この機械室内に設けられた巻上機取付枠と、上下反転させた状態で底面が巻上機取付枠に取り付けられ、巻上機取付枠に吊り下げ支持された巻上機と、を具備することを特徴とするエレベータ。
【請求項２】
昇降路の下部側方に設けられた機械室と、この機械室内に設けられた巻上機取付枠と、鉛直面内で９０°傾けた状態で底面が巻上機取付枠に取り付けられ、巻上機取付枠に片持ち支持された巻上機と、を具備することを特徴とするエレベータ。
【請求項３】
巻上機にメインロープからの力が作用していない状態において巻上機を落下しないように支える支持部材を具備することを特徴とする請求項１又は請求項２記載のエレベータ。
【請求項４】
請求項１乃至請求項３のいずれか一項記載のエレベータの組立方法であって、エレベータ設置現場に搬入される前の巻上機取付枠に巻上機を鉛直面内で所定角度回転させた状態で取り付け、巻上機と一体化された巻上機取付枠をエレベータ設置現場に搬入して機械室内に取り付けることを特徴とするエレベータの組立方法。
【請求項５】
昇降路の頂部上方に設けられた機械室と、上下反転させた状態で底面が機械室の天井に取り付けられ、該天井に吊り下げ支持された巻上機と、この巻上機を上向きに支える支持部材と、を具備することを特徴とするエレベータ。
【発明の詳細な説明】
【技術分野】
【０００１】
本発明は、巻上機の設置方法の改善を図ったエレベータ及びその組立方法に関する。
【背景技術】
【０００２】
図５は機械室が昇降路の頂部側方にあるエレベータにおける従来の巻上機の設置方法の説明図である。
【０００３】
同図において、１０１は機械室であり、その内部にはやぐら１０２が設置されている。やぐら１０２の底部には防振部材１０３を介して巻上機１０４が取り付けられ、巻上機１０４のシーブ１０５にはメインロープ１０６が巻き掛けられている。やぐら１０２の上部にはマシンビーム１０７が水平に設置され、これに取り付けられたそらせシーブ１０８によりメインロープ１０６が案内されている。メインロープ１０６の一端はかご１０９に接続され、他端は釣り合いおもり（図示せず）に接続されている。
【０００４】
上記のような巻上機の設置方法によれば、巻上機１０４には、メインロープ１０６から与えられる荷重により、下向きに作用する力よりも上向きに作用する力が大きくなる。つまり、かご１０９と釣り合いおもりの合計質量に対して巻上機１０４の質量の方が小さいため、巻上機１０４には上方に引き上げる力がかかっている状態となっている。
【０００５】
そのため、汎用の巻上機をこのように設置する場合には、巻上機の軸受部や巻上機本体への負荷に対応できるように、巻上機本体である巻上機ブロックの材質を剛性の高いものにしたり、補強リブを設ける等の構造変更が必要であった。
【０００６】
このように、メインロープから巻上機に与えられる荷重を巻上機のみで受けるようにする場合には、新たに専用の巻上機を設計、製作する必要があるが、巻上機をこのように取り付けるエレベータは通常のエレベータに比べて数が少なく、必然的に巻上機のコストが割高になると共に納期も通常の巻上機より長くなるという問題点があった。
【０００７】
また、上記のように、巻上機を機械室の底部に設置すると、マシンビーム等によって作業者の足場が狭くなり、作業を行いづらくなると共に、作業者が転倒する危険があるという問題点もあった。
【発明の開示】
【発明が解決しようとする課題】
【０００８】
解決しようとする問題点は、メインロープから巻上機に与えられる荷重を巻上機のみで受けるようにすると巻上機の構造変更が必要となる点、巻上機を機械室の底部に設置すると作業者の足場が狭くなる点である。
【課題を解決するための手段】
【０００９】
第１の発明のエレベータは、昇降路の頂部側方に設けられた機械室と、この機械室内に設けられた巻上機取付枠と、上下反転させた状態で底面が巻上機取付枠に取り付けられ、巻上機取付枠に吊り下げ支持された巻上機と、を具備することを特徴としている。
【００１０】
また、第２の発明のエレベータは、昇降路の下部側方に設けられた機械室と、この機械室内に設けられた巻上機取付枠と、鉛直面内で９０°傾けた状態で底面が巻上機取付枠に取り付けられ、巻上機取付枠に片持ち支持された巻上機と、を具備することを特徴としている。
【００１１】
また、第３の発明のエレベータは、昇降路の頂部上方に設けられた機械室と、上下反転させた状態で底面が機械室の天井に取り付けられ、該天井に吊り下げ支持された巻上機と、この巻上機を上向きに支える支持部材と、を具備することを特徴としている。
【発明の効果】
【００１２】
本発明によれば、巻上機本体の構造変更が不要となり、汎用の巻上機を使用することができるため、大幅なコストダウン及び納期の短縮を図ることができる。
【００１３】
また、巻上機が機械室の底部に設置されないため、作業者の足場が広くなり、作業性が向上すると共に転倒等の危険を回避することができる。
【発明を実施するための最良の形態】
【００１４】
以下、本発明の一実施形態を図面に基づいて説明する。
【実施例１】
【００１５】
図１は本発明の第１実施例のエレベータの要部拡大図である。
【００１６】
同図において、１は機械室であり、昇降路２の頂部側方に設けられている。機械室１の内部には巻上機取付枠としての巻上機取付用やぐら３が設置されている。やぐら３は上部に水平方向に延びる支持ビーム３ａを有している。この支持ビーム３ａの下面には、上下反転させた巻上機４の底面が防振部材５を介して取り付けられ、巻上機４は支持ビーム３ａに吊り下げ支持された状態になっている。
【００１７】
巻上機４のシーブ６にはメインロープ７が巻き掛けられている。やぐら３の上端にはマシンビーム８が水平に設置され、これに取り付けられたそらせシーブ９によりメインロープ７が案内されている。メインロープ７の一端はかご１０に接続され、他端は釣り合いおもり（図示せず）に接続されている。
【００１８】
次に、本実施例の作用を説明する。かご１０、釣り合いおもりの質量はメインロープ７を介して巻上機４にかかる。一般にかご１０と釣り合いおもりの合計質量は巻上機４の質量よりも大きいため、巻上機４には上向きの力が作用する。その力は巻上機４を介して支持ビーム３ａにも伝わるため、巻上機４だけでなく支持ビーム３ａも受けることになる。
【００１９】
そのため、汎用の巻上機の本体の剛性を高める必要がなく、汎用の巻上機を構造変更しなくても使用することができると共に、やぐら３の製作費用は巻上機の構造の変更よりも安価であるため、大幅なコストダウン及び納期の短縮を図ることができる。
【００２０】
また、図５に示す従来のものでは、巻上機１０４に防振部材１０３から離れる方向の力が作用するため防振部材１０３による防振効果が低下するという問題があるが、本実施例では、巻上機４に防振部材５が圧縮される方向の力が作用するため、防振部材５による防振効果が確実に得られるという利点もある。
【実施例２】
【００２１】
図２は本発明の第２実施例のエレベータの要部拡大図である。なお、以下の各実施例において、それ以前に説明した実施例と同一又は類似の部分には同一の符号を用いており、重複する説明は省略してある。
【００２２】
本実施例では、機械室１が昇降路２の下部側方に設けられている。そして、機械室１内には巻上機取付枠としての巻上機取付用ビーム１１が垂直に延びるように設置されている。巻上機４は鉛直面内で９０°傾けた状態で底面が巻上機取付用ビーム１１の側面に取り付けられ、巻上機取付用ビーム１１に片持ち支持された状態となっている。巻上機４の上部は機械室１１の底面に立設された支持部材１２により支持されている。
【００２３】
このような構成によれば、メインロープ７を介して巻上機４に横向き（図の左方向）の力がかかっているが、その力を巻上機４だけでなく巻上機取付用ビーム１１でも受けているため、第１実施例と同様に、汎用の巻上機の本体の剛性を高める必要がなく、汎用の巻上機を構造変更しなくても使用することができる。
【実施例３】
【００２４】
図３は本発明の第３実施例のエレベータの要部拡大図である。本実施例では、機械室１が昇降路２の頂部上方に設けられており、巻上機４は上下反転させた状態で底面が防振部材５を介して機械室１の天井１３に取り付けられ、天井１３に吊り下げ支持された状態となっている。また、機械室１の底面に一対の支持部材１４が立設されていて、巻上機４の両端を上向きに支持している。
【００２５】
このような構成によれば、機械室１の床にマシンビーム等が無くなるため、作業者の足場が広くなり、作業性が向上すると共に転倒等の危険を回避することができる。
【実施例４】
【００２６】
図４は本発明の第４実施例のエレベータの要部拡大図である。本実施例は、第１の実施例に対して機械室１の底面に立設した一対の支持部材１５を追加したものである。
【００２７】
メインロープ７の交換の際には巻上機４に上向きの力が作用しなくなるため、巻上機４にはその質量による力が下向きに作用する。この時、巻上機４を巻上機取付用やぐら３に取り付けている締結部材（図示せず）のみで巻上機４を支えることも可能であるが、防振部材５への悪影響や、この状態を長時間続ける場合も考慮して、支持部材１５を追加して巻上機４の落下を防止している。
【００２８】
このようにすることで、メインロープ７の交換やメンテナンス等の際に巻上機４の落下を防ぐことができるため、安全性が向上する。なお、この支持部材１５は着脱自在であり、通常のエレベータ使用時においては取り付けておいてもよいし、取り外してもよい。
【００２９】
また、本実施例では、あらかじめ製造現場において巻上機取付用やぐら３を組み立て、これに巻上機４、防振ゴム５、支持部材１５等の各用品を組み込み、支持部材１５を輸送用補強部材１６にて巻上機取付用やぐら３に固定することで、輸送中に各用品が動かないようにしている。
【００３０】
このようにして巻上機４等と一体化された巻上機取付用やぐら３をエレベータの設置現場に搬入することで、エレベータ設置現場における巻上機４の反転作業や巻上機取付用やぐら３の組立作業等が不要となるため、作業性が向上する。このような組立方法は他の実施例にも適用可能である。
【００３１】
なお、本発明は上述した各実施例に限定されるものではなく、本発明の要旨を逸脱しない範囲で上述した各実施例に種々の改変を施すことができる。
【図面の簡単な説明】
【００３２】
【図１】本発明の第１実施例のエレベータの要部拡大図である。
【図２】本発明の第２実施例のエレベータの要部拡大図である。
【図３】本発明の第３実施例のエレベータの要部拡大図である。
【図４】本発明の第４実施例のエレベータの要部拡大図である。
【図５】機械室が昇降路の頂部側方にあるエレベータにおける従来の巻上機の設置方法の説明図である。
【符号の説明】
【００３３】
１  機械室
２  昇降路
３  巻上機取付用やぐら（巻上機取付枠）
４  巻上機
１２  支持部材
１４  支持部材
１５  支持部材
【図１】
2005112615.tif 000003
【図２】
2005112615.tif 000004
【図３】
2005112615.tif 000005
【図４】
2005112615.tif 000006
【図５】
2005112615.tif 000007